(57)【特許請求の範囲】
【請求項１】
建物の床下換気口に設置して水の浸入を防止する床下換気口止水装置であって、
該装置は枠部と蓋部とで構成し、
前記枠部は、略中央部に換気口連通孔を穿設すると共に、一方の側面に前記換気口連通孔の開口縁を囲繞して床下換気口周縁と水密に当接する建物間シール部を形成し、他方の側面に蓋部の外端縁部を挿入可能で挿入により可及的に前記外端縁部が前記他方の側面を押圧する蓋部挿入溝を形成し、
蓋部は、前記換気口連通孔を被覆する外形とし、一方の側面に前記枠部の前記他方の側面と水密に当接する枠部間シール部を形成し、
前記枠部又は／及び前記枠部に装着した前記蓋部には前記蓋部挿入溝と対向する位置に前記蓋部を前記枠部に押圧して略固定する付勢固定部を形成したことを特徴とする床下換気口止水装置。
【請求項２】
前記蓋部挿入溝は、断面視Ｌ字状に形成したことを特徴とする請求項１に記載の床下換気口止水装置。
【請求項３】
前記蓋部挿入溝は、挿入される前記蓋部の幅員よりも長く形成したことを特徴とする請求項２に記載の床下換気口止水装置。
【請求項４】
前記蓋部挿入溝は、前方に拡開して形成したことを特徴とする請求項２または３に記載の床下換気口止水装置。
【請求項５】
前記付勢固定部はパッチン錠であることを特徴とする請求項１乃至４のいずれか１項に記載の床下換気口止水装置。
【請求項６】
前記付勢固定部は前記枠部に形成したクサビ挿入部と別途のクサビとで構成し、前記クサビ挿入部に前記クサビを打ち込むことで前記蓋部を前記枠部に押し付けて略固定するように構成したことを特徴とする請求項１乃至４のいずれか１項に記載の床下換気口止水装置。
【請求項７】
前記付勢固定部は、前記蓋部挿入溝と前記付勢固定部との対向方向と直交する左右位置にパッチン錠である別途の付勢固定部を形成したことを特徴とする請求項５または６に記載の床下換気口止水装置。
【請求項８】
前記枠部の前記換気口連通孔の周縁には、前記枠部を床下換気口周縁と固定するためのボルトを挿通するための複数のボルト挿通孔を穿設し、前記蓋部の前記他方の側面には把持部を形成したことを特徴とする請求項１乃至７のいずれか１項に記載の床下換気口止水装置。
【発明の詳細な説明】
【技術分野】
【０００１】
本発明は、建物の床下換気口に設置して水の浸入を防止する床下換気口止水装置に関する。
【背景技術】
【０００２】
従来より、洪水や大雨で増水した際に建物の基礎部分に形成された床下換気口から水が浸入して床下浸水となる事例が多数発生している。そのため、床下換気口からの水の浸入を防止する手段が考案されている。
【０００３】
例えば、特許文献１に記載の技術では、既存の建物に形成された床下換気口を形成するコンクリートに、後付により設置可能な止水機能付き床下換気口装置がある。
【０００４】
該装置は、換気口を閉蓋する止水板が引戸式に可動するものであり、洪水等のない平常時には換気口が開蓋する位置に止水板を移動させ、洪水時には止水板を移動させ換気口を閉蓋することができる。
【先行技術文献】
【特許文献】
【０００５】
【特許文献１】特開２００７−２３９１８１号公報
【発明の概要】
【発明が解決しようとする課題】
【０００６】
このように、特許文献１に係る止水機能付き床下換気口装置は床下換気口の開閉蓋操作を比較的容易に行うことができる点で一定の効果を奏していた。
【０００７】
しかしながら、該装置は引戸式であり、しかも止水板を枠本体に水密に押し付ける構造が複雑であることから、錆や経年劣化等により洪水時に想定した止水能力を発揮できない虞があった。
【０００８】
本発明は、以上のような事情に鑑みてなされたものであり、シンプルな構成でありながら床下換気口を確実に止水可能であり、しかも、床下換気口の開閉蓋操作を容易に行うことができる床下換気口止水装置を提供することにある。
【課題を解決するための手段】
【０００９】
以上のような目的を達成するために、本発明は以下のようなものを提供する。
【００１０】
請求項１に係る発明では、建物の床下換気口に設置して水の浸入を防止する床下換気口止水装置であって、該装置は枠部と蓋部とで構成し、前記枠部は、略中央部に換気口連通孔を穿設すると共に、一方の側面に前記換気口連通孔の開口縁を囲繞して床下換気口周縁と水密に当接する建物間シール部を形成し、他方の側面に蓋部の外端縁部を挿入可能で挿入により可及的に前記外端縁部が前記他方の側面を押圧する蓋部挿入溝を形成し、蓋部は、前記換気口連通孔を被覆する外形とし、一方の側面に前記枠部の前記他方の側面と水密に当接する枠部間シール部を形成し、前記枠部又は／及び前記枠部に装着した前記蓋部には前記蓋部挿入溝と対向する位置に前記蓋部を前記枠部に押圧して略固定する付勢固定部を形成したことを特徴とする床下換気口止水装置を提供せんとする。
【００１１】
請求項２に係る発明では、前記蓋部挿入溝は、断面視Ｌ字状に形成したことを特徴とする請求項１に記載の床下換気口止水装置を提供せんとする。
【００１２】
請求項３に係る発明では、前記蓋部挿入溝は、挿入される前記蓋部の幅員よりも長く形成したことを特徴とする請求項２に記載の床下換気口止水装置を提供せんとする。
【００１３】
請求項４に係る発明では、前記蓋部挿入溝は、前方に拡開して形成したことを特徴とする請求項２または３に記載の床下換気口止水装置を提供せんとする。
【００１４】
請求項５に係る発明では、前記付勢固定部はパッチン錠であることを特徴とする請求項１乃至４のいずれか１項に記載の床下換気口止水装置を提供せんとする。
【００１５】
請求項６に係る発明では、前記付勢固定部は前記枠部に形成したクサビ挿入部と別途のクサビとで構成し、前記クサビ挿入部に前記クサビを打ち込むことで前記蓋部を前記枠部に押し付けて略固定するように構成したことを特徴とする請求項１乃至４のいずれか１項に記載の床下換気口止水装置を提供せんとする。
【００１６】
請求項７に係る発明では、前記付勢固定部は、前記蓋部挿入溝と前記付勢固定部との対向方向と直交する左右位置にパッチン錠である別途の付勢固定部を形成したことを特徴とする請求項５または６に記載の床下換気口止水装置を提供せんとする。
【００１７】
請求項８に係る発明では、前記枠部の前記換気口連通孔の周縁には、前記枠部を床下換気口周縁と固定するためのボルトを挿通するための複数のボルト挿通孔を穿設し、前記蓋部の前記他方の側面には把持部を形成したことを特徴とする請求項１乃至７のいずれか１項に記載の床下換気口止水装置を提供せんとする。
【発明の効果】
【００１８】
請求項１記載の発明によれば、床下換気口止水装置は枠部と蓋部とで構成され、枠部は、略中央部に換気口連通孔を穿設すると共に、一方の側面に換気口連通孔の開口縁を囲繞して床下換気口周縁と水密に当接する建物間シール部を形成し、他方の側面に蓋部の外端縁部を挿入可能で挿入により可及的に外端縁部が他方の側面を押圧する蓋部挿入溝を形成し、蓋部は、換気口連通孔を被覆する外形とし、一方の側面に枠部の他方の側面と水密に当接する枠部間シール部を形成し、枠部又は／及び枠部に装着した蓋部には蓋部挿入溝と対向する位置に蓋部を枠部に押圧して略固定する付勢固定部を形成したことにより、蓋部の外端縁部を蓋部挿入溝に挿入し、付勢固定部で蓋部を略固定するだけで床下換気口を水密に止水することができる。
【００１９】
請求項２記載の発明によれば、蓋部挿入溝は、断面視Ｌ字状に形成したことにより、蓋部の外端縁部を蓋部挿入溝に容易に挿入でき、しかも、シンプルな構成で蓋部挿入溝周縁の蓋部と枠部とを水密に止水することができる。
【００２０】
請求項３記載の発明によれば、蓋部挿入溝は、挿入される蓋部の幅員よりも長く形成したことにより、蓋部挿入溝周縁の蓋部と枠部とを確実に水密に止水することができる。
【００２１】
請求項４記載の発明によれば、蓋部挿入溝は、前方に拡開して形成したことにより、蓋部挿入溝への蓋部の外端縁部の挿入及び抜去を極めて容易に行うことができる。
【００２２】
請求項５記載の発明によれば、付勢固定部はパッチン錠であることにより、付勢固定部周縁の蓋部と枠部とを水密に止水することができ、しかも、枠部に対する蓋部の固定を極めて容易に行うことができる。
【００２３】
請求項６記載の発明によれば、付勢固定部は枠部に形成したクサビ挿入部と別途のクサビとで構成し、クサビ挿入部にクサビを打ち込むことで蓋部を枠部に押し付けて略固定するように構成したことにより、構造がシンプルになるため故障や不具合の発生を防止することができる。
【００２４】
請求項７記載の発明によれば、付勢固定部は、蓋部挿入溝と付勢固定部との対向方向と直交する左右位置にパッチン錠である別途の付勢固定部を形成したことにより、蓋部挿入溝と複数の付勢固定部により蓋部と枠部との固定を強固なものとでき、床下換気口をより確実に水密に止水することができる。
【００２５】
請求項８記載の発明によれば、枠部の換気口連通孔の周縁には、枠部を床下換気口周縁と固定するためのボルトを挿通するための複数のボルト挿通孔を穿設し、蓋部の他方の側面には把持部を形成したことにより、床下換気口止水装置を床下換気口周縁に容易に設置でき、しかも、把持部により蓋部の取り扱いを容易に行うことができる。
【図面の簡単な説明】
【００２６】
【図１】実施形態に係る床下換気口止水装置を換気口に装着した説明図である。
【図２】実施形態に係る床下換気口止水装置を換気口に装着した断面図である。
【図３】（ａ）は建物の基礎部分に形成された換気口を示す説明図で、（ｂ）は換気口に枠部を装着した説明図である。
【図４】（ａ）は枠部に蓋部を係合して止水状態とした断面図で、（ｂ）は（ａ）における蓋部挿入溝を拡開した状態を示す断面図で、（ｃ）は（ｂ）における蓋部の挿抜を示す断面図である。
【図５】実施形態に係る床下換気口止水装置を示す説明図である。
【図６】（ａ）は図５の床下換気口止水装置における蓋部の挿抜を示す断面図で、（ｂ）は枠部に蓋部を係合して止水状態とした断面図である。
【図７】実施形態に係る床下換気口止水装置を示す説明図である。
【図８】（ａ）は図７の床下換気口止水装置における蓋部の閉蓋直前を示す断面図で、（ｂ）は枠部に蓋部を係合して止水状態とした断面図である。
【図９】実施形態に係る床下換気口止水装置を示す説明図である。
【図１０】（ａ）は図９の床下換気口止水装置における蓋部の閉蓋直前を示す断面図で、（ｂ）は枠部に蓋部を係合して止水状態とした断面図である。
【発明を実施するための形態】
【００２７】
本発明に係る床下換気口止水装置は、建物の床下換気口に設置して水の浸入を防止する床下換気口止水装置であって、該装置は枠部と蓋部とで構成し、枠部は、略中央部に換気口連通孔を穿設すると共に、一方の側面に換気口連通孔の開口縁を囲繞して床下換気口周縁と水密に当接する建物間シール部を形成し、他方の側面に蓋部の外端縁部を挿入可能で挿入により可及的に外端縁部が他方の側面を押圧する蓋部挿入溝を形成し、蓋部は、換気口連通孔を被覆する外形とし、一方の側面に枠部の他方の側面と水密に当接する枠部間シール部を形成し、枠部又は／及び枠部に装着した蓋部には蓋部挿入溝と対向する位置に蓋部を枠部に押圧して略固定する付勢固定部を形成したことを特徴とする。すなわち、シンプルな構成でありながら床下換気口を確実に止水可能であり、しかも、床下換気口の開閉蓋操作を容易に行うことができる床下換気口止水装置の提供を図ろうとするものである。
【００２８】
以下、本発明に係る床下換気口止水装置の実施形態について図面を参照しながら説明する。また、本説明中において左右同一又は左右対称の構造等については、原則として同一の符号を付し、左右何れか一方のみを説明して、他方については説明を適宜省略する。
【００２９】
[第一実施形態]
本発明の第一実施形態に係る床下換気口止水装置Ａは図１〜４に示すように、枠部１と蓋部２とで構成し、枠部１は、略中央部に換気口連通孔３を穿設すると共に、一方の側面４に換気口連通孔３の開口縁を囲繞して床下換気口Ｋ周縁と水密に当接する建物間シール部５を形成し、他方の側面６に蓋部２の外端縁部７を挿入可能で挿入により可及的に外端縁部７が他方の側面６を押圧する蓋部挿入溝８を形成し、蓋部２は、換気口連通孔３を被覆する外形とし、一方の側面９に枠部１の他方の側面６と水密に当接する枠部間シール部１０を形成し、枠部１又は／及び枠部１に装着した蓋部２には蓋部挿入溝８と対向する位置に蓋部２を枠部１に押圧して略固定する付勢固定部１１を形成している。
【００３０】
また、蓋部挿入溝８は、挿入される蓋部２の幅員よりも長く断面視Ｌ字状に形成し、付勢固定部１１はパッチン錠１２で構成している。
【００３１】
また、該付勢固定部１１は、蓋部挿入溝８と付勢固定部１１との対向方向と直交する左右位置にパッチン錠１２である別途の付勢固定部１１´を形成している。
【００３２】
なお、付勢固定部１１，１１´を構成するパッチン錠１２は、操作レバー１４やフック１５を備えた本体機構部１３と、フック１５と係合する係止爪１６とで構成しており、係合により本体機構部１３側が係止爪１６側に付勢する一般的なパッチン錠である。
【００３３】
更に、枠部１の換気口連通孔３の周縁には、枠部１を床下換気口Ｋ周縁と固定するためのボルト挿通用の複数のボルト挿通孔１７を穿設し、蓋部２の他方の側面１８には把持部１９を形成している。
【００３４】
このように構成することで、蓋部２の外端縁部７を蓋部挿入溝８に挿入し、付勢固定部１１，１１´で蓋部２を略固定するだけで床下換気口Ｋを水密に止水することができる。すなわち、シンプルな構成でありながら床下換気口Ｋを確実に止水可能であり、しかも、床下換気口Ｋの開閉蓋操作を容易に行うことができる床下換気口止水装置Ａを提供することができる。
【００３５】
具体的には、枠部１は、ステンレス等の金属材料で形成された枠本体部２０とウレタンゴム等の弾性と水密性を備えた建物間シール部５と付勢固定部１１を構成するパッチン錠１２，１２の係止爪１６，１６とで構成している。枠本体部２０は矩形板状に形成し、略中央部に矩形状の換気口連通孔３を穿設すると共に下端縁を前方にＬ字状に折曲して蓋部挿入溝８を形成している。また、枠本体部２０の後面４には枠本体部２０の背面視と略同形の建物間シール部５を貼着している。
【００３６】
蓋部挿入溝８の前後方向の溝幅Ｗは蓋部２の厚みＦよりも狭く形成しており、図４（ａ）に示すように、蓋部挿入溝８に蓋部２の下側の外端縁部７を挿入した際、可及的に外端縁部７が枠本体部２０の前面６を押圧するように構成している。なお、蓋部挿入溝８への蓋部２の挿入においては、蓋部２に貼着された枠部間シール部１０の弾性を利用し、枠本体部２０の前面６に対し蓋部２の外端縁部７を蓋部２の前面１８から押圧することで蓋部２の厚みＦを狭くしながら容易に挿入することができる。
【００３７】
また、蓋部挿入溝８は、図４（ｂ）に示すように前方に拡開して形成してもよい。具体的には、蓋部挿入溝８の前壁２１に前方への傾斜角αを付与することで拡開し、本実施形態では傾斜角αを略５°としている。このように傾斜させることで図４（ｃ）に示すように、蓋部挿入溝８への蓋部２の挿抜を容易とすることができる。この場合であっても、蓋部挿入溝８の底部側の溝幅Ｗは蓋部２の厚みＦよりも狭く形成することで、蓋部２の外端縁部７が枠本体部２０の前面６を押圧することができる。
【００３８】
また、蓋部挿入溝８の前方への傾斜角αは略５°に限定されるものではなく、止水機能を保ちながら蓋部２の挿抜を容易に行うために傾斜角αは略５°±２°の範囲内であることが望ましい。
【００３９】
また、図１、図３（ｂ）に示すように、蓋部挿入溝８の前壁２１の表面には、挿入される蓋部２の位置を明示するためのマーカー２２を形成してもよい。マーカー２２は三角形状に形成し、三角形の頂点に蓋部２の左右端が位置するように蓋部２を蓋部挿入溝８に挿入すれば付勢固定部１１の位置を正確な位置に合わせることができる。
【００４０】
なお、本実施形態では蓋部挿入溝８を枠本体部２０の下側に形成したものとして説明しているが、蓋部挿入溝８を上側に形成し、本説明中における床下換気口止水装置Ａの上下を逆とした構成としてもよい。
【００４１】
また、枠本体部２０には換気口連通孔３の周縁にボルト挿通孔１７を６箇所穿設し、ボルト挿通孔１７に図示しない皿ネジを挿貫し建物Ｔの基礎部分Ｇに螺入することで枠部１を基礎部分Ｇに装着することができる。
【００４２】
従って、図３（ａ）に示すような建物Ｔの基礎部分Ｇに形成された床下換気口Ｋに対し、図３（ｂ）に示すように床下換気口Ｋの開口と枠部１の換気口連通孔３が連通するように基礎部分Ｇの壁面に枠部１を装着することができる。
【００４３】
また、枠本体部２０の前面６には換気口連通孔３に臨む蓋部挿入溝８と対向する位置に付勢固定部１１である上パッチン錠１２ａの上係止爪１６ａを左右に離間して配設している。すなわち、換気口連通孔３の上部側を水密に止水する蓋部２の上部側は２つの上パッチン錠１２ａ，１２ａにより枠本体部２０と固定される。なお、上係止爪１６ａ，１６ａと係合する上パッチン錠１２ａ，１２ａの上本体機構部１３ａ，１３ａは後述する蓋部２に配設している。
【００４４】
更に、本実施形態では付勢固定部１１は、蓋部挿入溝８と上述した付勢固定部１１である２つの上パッチン錠１２ａ，１２ａとの対向方向と直交する左右位置にも付勢固定部１１´として左右パッチン錠１２ｂ，１２ｂを備えており、該位置の枠本体部２０の前面６に左右係止爪１６ｂ，１６ｂを配設している。すなわち、換気口連通孔３の左右側を水密に止水する蓋部２の左右側は左右各１個のパッチン錠１２ｂ，１２ｂにより枠本体部２０と固定される。なお、左右係止爪１６ｂ，１６ｂと係合する左右パッチン錠１２ｂ，１２ｂの左右本体機構部１３ｂ，１３ｂは後述する蓋部２に配設している。
【００４５】
蓋部２は、ステンレス等の金属材料で形成された蓋本体部２３とウレタンゴム等の弾性と水密性を備えた枠部間シール部１０と付勢固定部１１を構成するパッチン錠１２の本体機構部１３，１３と把持部１９とで構成している。
【００４６】
蓋本体部２３は矩形板状で枠部１の換気口連通孔３の開口よりも大きく形成し、換気口連通孔３を開閉蓋可能としている。また、蓋本体部２３の後面９には、当接する換気口連通孔３の開口縁を囲繞可能な略ロ字状に形成された枠部間シール部１０を貼着している。
【００４７】
また、蓋部２の上部で上述した枠部１に形成された上係止爪１６ａ，１６ａと係合可能な位置に上パッチン錠１２ａ，１２ａの上本体機構部１３ａ，１３ａを配設している。更に、蓋部２の左右端縁部で上述した枠部１に形成された左右係止爪１６ｂ，１６ｂと係合可能な位置に左右パッチン錠１２ｂ，１２ｂの左右本体機構部１３ｂ，１３ｂを配設している。すなわち、蓋部２は上側に２個、左右側に各１個、合計４個のパッチン錠（本体機構部）１２ａ，１２ａ，１２ｂ，１２ｂにより枠部１と固定される。
【００４８】
従って、蓋部挿入溝８に蓋部２の下側の外端縁部７を挿入し、パッチン錠１２ａ，１２ａ，１２ｂ，１２ｂにより蓋部２を固定すれば、洪水や大雨による増水時に床下換気口Ｋを容易に止水することができる。
【００４９】
また、蓋本体部２３の前面１８で略中央部には、丸棒をコ字状に折曲し、両端部を水平方向として接続した把持部１９を形成している。
【００５０】
以上、説明したように第一実施形態に係る床下換気口止水装置Ａは構成している。このように、床下換気口止水装置Ａは枠部１と蓋部２とで構成され、枠部１は、略中央部に換気口連通孔３を穿設すると共に、一方の側面４に換気口連通孔３の開口縁を囲繞して床下換気口Ｋ周縁と水密に当接する建物間シール部５を形成し、他方の側面６に蓋部２の外端縁部７を挿入可能で挿入により可及的に外端縁部７が他方の側面６を押圧する蓋部挿入溝８を形成し、蓋部２は、換気口連通孔３を被覆する外形とし、一方の側面９に枠部１の他方の側面６と水密に当接する枠部間シール部１０を形成し、枠部１又は／及び枠部１に装着した蓋部２には蓋部挿入溝８と対向する位置に蓋部２を枠部１に押圧して略固定する付勢固定部１１を形成したことにより、蓋部２の外端縁部７を蓋部挿入溝８に挿入し、付勢固定部１１で蓋部２を略固定するだけで床下換気口Ｋを水密に止水することができる。
【００５１】
また、蓋部挿入溝８は、断面視Ｌ字状に形成したことにより、蓋部２の外端縁部７を蓋部挿入溝８に容易に挿入でき、しかも、シンプルな構成で蓋部挿入溝８周縁の蓋部２と枠部１とを水密に止水することができる。
【００５２】
また、蓋部挿入溝８は、挿入される蓋部２の幅員よりも長く形成したことにより、蓋部挿入溝８周縁の蓋部２と枠部１とを確実に水密に止水することができる。
【００５３】
また、蓋部挿入溝８は、前方に拡開して形成することにより、蓋部挿入溝８への蓋部２の外端縁部７の挿入及び抜去を極めて容易に行うことができる。
【００５４】
また、付勢固定部１１はパッチン錠１２であることにより、付勢固定部１１周縁の蓋部２と枠部１とを水密に止水することができ、しかも、枠部１に対する蓋部２の固定を極めて容易に行うことができる。
【００５５】
また、付勢固定部１１は、蓋部挿入溝８と付勢固定部１１との対向方向と直交する左右位置にパッチン錠１２である別途の付勢固定部１１´を形成したことにより、蓋部挿入溝８と複数の付勢固定部１１，１１´により蓋部２と枠部１との固定を強固なものとでき、床下換気口Ｋをより確実に水密に止水することができる。
【００５６】
枠部１の換気口連通孔３の周縁には、枠部１を床下換気口Ｋ周縁と固定するためのボルトを挿通するための複数のボルト挿通孔１７を穿設し、蓋部２の他方の側面１８には把持部１９を形成したことにより、床下換気口止水装置Ａを床下換気口Ｋ周縁に容易に設置でき、しかも、把持部１９により蓋部２の取り扱いを容易に行うことができる。
【００５７】
次に、本発明の第二実施形態に係る床下換気口止水装置Ｂについて詳述する。なお、第一実施形態に係る床下換気口止水装置Ａと同一の構成については共通の符合を付し、説明を適宜省略する。
【００５８】
[第二実施形態]
本発明の第二実施形態に係る床下換気口止水装置Ｂは図５、図６に示すように、上述した第一実施形態に係る床下換気口止水装置Ａとは逆に、蓋部挿入溝８は枠本体部２０の上端縁を前方にＬ字状に折曲して形成している。また、蓋部挿入溝８と対向する位置に形成された付勢固定部１１は、枠部１に形成したクサビ挿入部３０と別途のクサビ３１とで構成し、クサビ挿入部３０にクサビ３１を打ち込むことで蓋部２を枠部１に押し付けて略固定するように構成している。
【００５９】
また、蓋部挿入溝８とクサビ挿入部３０との対向方向と直交する左右位置にパッチン錠１２である別途の付勢固定部１１´を形成している。
【００６０】
このように構成することで、蓋部２の上側の外端縁部７を蓋部挿入溝８に挿入し、付勢固定部１１，１１´で蓋部２を略固定するだけで床下換気口Ｋを水密に止水することができる。すなわち、シンプルな構成でありながら床下換気口Ｋを確実に止水可能であり、しかも、床下換気口Ｋの開閉蓋操作を容易に行うことができる床下換気口止水装置Ｂを提供することができる。
【００６１】
具体的には、付勢固定部１１を構成するクサビ挿入部３０は矩形長方形状に形成し、長手方向を左右として上下に矩形状に貫通する上方拡開のテーパを有するクサビ挿入孔３２を形成している。クサビ挿入部３０は枠本体部２０前面６の下端縁部に配設され、図６（ｂ）に示すように、蓋部２が蓋部挿入溝８に挿入された状態で蓋部２の下端がクサビ挿入部３０の上面に載置されるような位置関係としている。
【００６２】
また、クサビ挿入部３０の上面に載置された蓋部２は、図６（ａ）に示すように、そのままではクサビ挿入孔３２の一部または全部を被覆している。従って、人手により蓋部２を枠本体部２０に対して押圧することで枠部間シール部１０の弾性によりクサビ挿入孔３２が露出することになる。
【００６３】
クサビ３１は、ステンレス等の金属材料で形成された矩形板状の材料を側面視逆Ｌ字状に折曲して形成しており、略垂直な片をクサビ片３３とし、クサビ片３３の上端部から略水平に伸延した片を打込み片３４としている。
【００６４】
クサビ片３３は、先端先鋭のテーパ状に形成され、クサビ挿入部３０のクサビ挿入孔３２に上方から挿入可能に形成されている。すなわち、上方拡開のクサビ挿入孔３２のテーパとクサビ片３３のテーパとがクサビ片３３の挿入時に中途部で嵌合するように構成されている。
【００６５】
従って、蓋部２を蓋部挿入溝８に挿入した後、クサビ挿入部３０の上面に載置された蓋部２を枠本体部２０に対して押圧し、露出したクサビ挿入孔３２にクサビ３１を打込むことで、可及的に蓋部２を枠本体部２０に付勢させることができる。
【００６６】
そして、蓋部２の左右端側に配設された左右パッチン錠１２ｂ，１２ｂにより蓋部２を枠部１に固定することで、蓋部２の後面９に形成された枠部間シール部１０が枠本体部２０の前面６を押圧して換気口連通孔３を水密に止水する。
【００６７】
なお、クサビ挿入部３０には、挿入するクサビ３１の左右端の位置を明示するために上述した第一実施形態に係る床下換気口止水装置Ａで説明したような三角形状等のマーカー２２を形成してもよい。
【００６８】
以上、説明したように第二実施形態に係る床下換気口止水装置Ｂは構成している。このように構成することで、上述した第一実施形態に係る床下換気口止水装置Ａと同様の効果を得ることができるばかりでなく、付勢固定部１１は枠部１に形成したクサビ挿入部３０と別途のクサビ３１とで構成し、クサビ挿入部３０にクサビ３１を打ち込むことで蓋部２を枠部１に押し付けて略固定するように構成したことにより、付勢固定部１１の構造がシンプルになるため故障や不具合の発生を防止することができる。
【００６９】
次に、本発明の第三実施形態に係る床下換気口止水装置Ｃについて詳述する。なお、第一・第二実施形態に係る床下換気口止水装置Ａ，Ｂと同一の構成については共通の符合を付し、説明を適宜省略する。
【００７０】
[第三実施形態]
本発明の第三実施形態に係る床下換気口止水装置Ｃは図７、図８に示すように、上述した第二実施形態に係る床下換気口止水装置Ｂのクサビ挿入部３０が配設された箇所に付勢固定部１１として枠部１に形成した回転係止付勢部４０と別途の係止棒４１を有し、係止棒４１の回動により蓋部２を枠部１に押し付けて略固定するように構成している。
【００７１】
また、蓋部挿入溝８と回転係止付勢部４０との対向方向と直交する左右位置にパッチン錠１２である別途の付勢固定部１１´を形成している。
【００７２】
このように構成することで、蓋部２の上側の外端縁部７を蓋部挿入溝８に挿入し、付勢固定部１１，１１´で蓋部２を略固定するだけで床下換気口Ｋを水密に止水することができる。すなわち、シンプルな構成でありながら床下換気口Ｋを確実に止水可能であり、しかも、床下換気口Ｋの開閉蓋操作を容易に行うことができる床下換気口止水装置Ｃを提供することができる。
【００７３】
具体的には、付勢固定部１１を構成する回転係止付勢部４０は、蓋部２の幅員と略同長さの矩形長方形状で長手方向を左右として上方開口の断面視コ字状に形成し、開口を形成する溝を係止棒挿入溝４２としている。回転係止付勢部４０は枠本体部２０前面６の下端縁部に配設され、図８（ａ）、（ｂ）に示すように、蓋部２が蓋部挿入溝８に挿入された状態で蓋部２の下端が回転係止付勢部４０の上面に載置されるような位置関係としている。
【００７４】
また、回転係止付勢部４０の上面に載置された蓋部２は、図８（ａ）に示すように、そのままでは係止棒挿入溝４２の開口の一部または全部を被覆している。従って、人手により蓋部２を枠本体部２０に対して押圧することで枠部間シール部１０の弾性により係止棒挿入溝４２の開口が露出することになる。また、係止棒挿入溝４２には係止棒４１が挿入され、係止棒４１はその幅員Ｙと係止棒挿入溝４２の溝幅Ｒとが略同幅となるように形成している。
【００７５】
係止棒４１は、ステンレス等の金属材料で形成され、矩形板状の材料をＬ字状に折曲して幅員Ｙが板厚Ｘの略２倍となるように形成している。また、一方の片を把持片４３、他方の片を回転係止片４４とし、把持片４３の長さを回転係止片４４の長さの略３倍として形成している。
【００７６】
このように形成された係止棒４１は、図７に示すように、床下換気口止水装置Ｃの前面に回転係止片４４が臨むようにして、把持片４３が略水平で回転係止片４４の軸線が鉛直下向きとなるようにして回転係止片４４を係止棒挿入溝４２に上方から挿入する。そして、回転係止片４４の軸線の鉛直下向き状態を維持したまま把持片４３を左右何れかに回動すれば、図８（ａ）の状態から図８（ｂ）へと変化するように、係止棒挿入溝４２の溝幅Ｒと略同幅の幅員Ｙである係止棒４１の横側面により回転係止付勢部４０の上面に載置された蓋部２を枠本体部２０に対して押圧し、可及的に蓋部２を枠本体部２０に付勢させることができる。
【００７７】
そして、蓋部２の左右端側に配設された左右パッチン錠１２ｂ，１２ｂにより蓋部２を枠部１に固定することで、蓋部２の後面９に形成された枠部間シール部１０が枠本体部２０の前面６を押圧して換気口連通孔３を水密に止水する。
【００７８】
なお、本実施形態に係る床下換気口止水装置Ｃでは、２つの係止棒４１を係止棒挿入溝４２の左右に離間して装着しているが、係止棒４１の数や位置は本実施形態に限定されるものではない。
【００７９】
また、本実施形態に係る床下換気口止水装置Ｃでは、回転係止付勢部４０の左右方向の長さを蓋部２の幅員と略同長さに形成しているため、蓋部２の左右端を回転係止付勢部の左右端に合わせれば止水に最適な位置に蓋部２を容易に装着できる。
【００８０】
しかし、回転係止付勢部４０の左右方向の長さを蓋部２の幅員よりも長く形成した場合には、回転係止付勢部４０に挿入する係止棒４１の位置を明示するために上述した第一実施形態に係る床下換気口止水装置Ａで説明したような三角形状等のマーカー２２を形成してもよい。
【００８１】
以上、説明したように第三実施形態に係る床下換気口止水装置Ｃは構成している。このように構成することで、上述した第一実施形態に係る床下換気口止水装置Ａと同様の効果を得ることができるばかりでなく、付勢固定部１１として枠部１に形成した回転係止付勢部４０と別途の係止棒４１を有し、係止棒４１の回動により蓋部２を枠部１に押し付けて略固定するように構成したことにより、付勢固定部１１の構造をシンプルにできるため故障や不具合の発生を防止することができる。
【００８２】
次に、本発明の第四実施形態に係る床下換気口止水装置Ｄについて詳述する。なお、第一・第二・第三実施形態に係る床下換気口止水装置Ａ，Ｂ，Ｃと同一の構成については共通の符合を付し、説明を適宜省略する。
【００８３】
[第四実施形態]
本発明の第四実施形態に係る床下換気口止水装置Ｄは図９、図１０に示すように、上述した第三実施形態に係る床下換気口止水装置Ｃの蓋部挿入溝８が配設された箇所に付勢固定部１１として枠部１に形成した回転係止付勢部４０と別途の連結係止棒５０を有し、連結係止棒５０の回動により蓋部２を枠部１に押し付けて略固定するように構成している。すなわち、枠本体部２０の上下位置に対向して回転係止付勢部４０を配設している。
【００８４】
また、対向する２つの回転係止付勢部４０，４０と直交する左右位置にパッチン錠１２である別途の付勢固定部１１´を形成している。
【００８５】
なお、本実施形態に係る床下換気口止水装置Ｄの枠本体部２０´は、上部を前方に略直角に折曲して庇部５１を形成しており、該装置Ｄの前面が雨や埃により劣化等することを防止しているが、庇部５１の形成は任意である。また、枠本体部２０´の後面４に貼着される建物間シール部５は庇部５１にも貼着してよい。このような庇部５１は、上述した第一実施形態に係る床下換気口止水装置Ａに形成してもよい。
【００８６】
このように構成することで、付勢固定部１１，１１´で蓋部２を略固定するだけで床下換気口Ｋを水密に止水することができる。すなわち、シンプルな構成でありながら床下換気口Ｋを確実に止水可能であり、しかも、床下換気口Ｋの開閉蓋操作を容易に行うことができる床下換気口止水装置Ｄを提供することができる。
【００８７】
具体的には、付勢固定部１１を構成する装置上部の回転係止付勢部４０は、蓋部２の幅員と略同長さの矩形長方形状で長手方向を左右とし、係止棒挿入溝４２が下方開口となるように配設している。また、上下の係止棒挿入溝４２，４２には連結係止棒５０が挿入され、連結係止棒５０の幅員Ｙと係止棒挿入溝４２の溝幅Ｒとが略同幅となるように形成している。
【００８８】
連結係止棒５０は、ステンレス等の金属材料で形成され、矩形板状の材料をＴ字状として幅員Ｙが板厚Ｘの略２倍となるように形成している。また、一方の片を連結把持片５２、他方の片を連結回転係止片５３とし、連結回転係止片５３の長さを連結把持片５２の長さの略４倍として形成している。連結回転係止片５３を長く形成することで、連結回転係止片５３の両端部を各々係止棒挿入溝４２，４２に挿入することができる。
【００８９】
このように形成された連結係止棒５０は、図９に示すように、床下換気口止水装置Ｄの前面に連結回転係止片５３が臨むようにして、連結把持片５２が略水平で連結回転係止片５３が回転係止付勢部４０の外側壁５４と干渉しないように傾斜させつつ蓋部２を押圧しながら連結回転係止片５３の軸線が鉛直方向となるように回動して係止棒挿入溝４２に挿入する。そして、連結回転係止片５３の軸線方向の鉛直状態を維持したまま連結把持片５２を左右何れかに回動すれば、図１０（ａ）の状態から図１０（ｂ）の状態へと変化するように、係止棒挿入溝４２の溝幅Ｒと略同幅の幅員Ｙである連結係止棒５０の横側面により回転係止付勢部４０の上面に載置された蓋部２を枠本体部２０に押圧し、可及的に蓋部２を枠本体部２０に付勢させることができる。
【００９０】
そして、蓋部２の左右端側に配設された左右パッチン錠１２ｂ，１２ｂにより蓋部２を枠部１に固定することで、蓋部２の後面９に形成された枠部間シール部１０が枠本体部２０の前面６を押圧して換気口連通孔３を水密に止水する。
【００９１】
なお、本実施形態に係る床下換気口止水装置Ｄでは、２つの連結係止棒５０を係止棒挿入溝４２の左右に離間して装着しているが、連結係止棒５０の数や位置は本実施形態に限定されるものではない。
【００９２】
また、本実施形態に係る床下換気口止水装置Ｄでは、上下２つの回転係止付勢部４０，４０の左右方向の長さを蓋部２の幅員と略同長さに形成しているため、蓋部２の左右端を回転係止付勢部の左右端に合わせれば止水に最適な位置に蓋部２を容易に装着できる。
【００９３】
しかし、回転係止付勢部４０の左右方向の長さを蓋部２の幅員よりも長く形成した場合には、回転係止付勢部４０に挿入する係止棒４１の位置を明示するために上述した第一実施形態に係る床下換気口止水装置Ａで説明したような三角形状等のマーカー２２を形成してもよい。
【００９４】
以上、説明したように第四実施形態に係る床下換気口止水装置Ｄは構成している。このように構成することで、上述した第一・第三実施形態に係る床下換気口止水装置Ａ，Ｃと同様の効果を得ることができるばかりでなく、付勢固定部１１として回転係止付勢部４０を蓋部２の上下に対向して配設し、係止棒挿入溝４２，４２に挿入された連結係止棒５０の回動により蓋部２の上下を枠部１に押し付けて略固定するように構成したことにより、付勢固定部１１の構造をシンプルにできるため故障や不具合の発生を防止することができる。
【００９５】
以上のように、第一実施形態〜第四実施形態に係る床下換気口止水装置Ａ，Ｂ,Ｃ，Ｄは、建物Ｔの基礎部分Ｇに形成された床下換気口Ｋ対し、床下換気口Ｋの開口と枠部１の換気口連通孔３が連通するように基礎部分Ｇの壁面に枠部１を装着しておけば、蓋部２による床下換気口Ｋの閉蓋操作により洪水や大雨による増水時に床下換気口Ｋを容易に止水することができる。
【００９６】
以上、本発明の好ましい実施形態を説明したが、本発明は係る特定の実施形態に限定されるものではなく、特許請求の範囲に記載された本発明の要旨の範囲内において、種々の変形・変更が可能である。
【符号の説明】
【００９７】
Ａ  床下換気口止水装置（第一実施形態）
Ｂ  床下換気口止水装置（第二実施形態）
Ｃ  床下換気口止水装置（第三実施形態）
Ｄ  床下換気口止水装置（第四実施形態）
Ｋ  床下換気口
Ｔ  建物
１  枠部
２  蓋部
３  換気口連通孔
４  一方の側面（枠部の後面）
５  建物間シール部
６  他方の側面（枠部の前面）
７  外端縁部
８  蓋部挿入溝
９  一方の側面（蓋部の後面）
１０  枠部間シール部
１１  付勢固定部
１１´  別途の付勢固定部
１２  パッチン錠
１７  ボルト挿通孔
１８  他方の側面（蓋部の前面）
１９  把持部
３０  クサビ挿入部
３１  クサビ
【図１】
0006475106.tif 000002
【図２】
0006475106.tif 000003
【図３】
0006475106.tif 000004
【図４】
0006475106.tif 000005
【図５】
0006475106.tif 000006
【図６】
0006475106.tif 000007
【図７】
0006475106.tif 000008
【図８】
0006475106.tif 000009
【図９】
0006475106.tif 000010
【図１０】
0006475106.tif 000011